(57)【要約】      （修正有）【課題】手軽に移動することができ、使用する際、使用する場所や天気の良し悪し、或いは太陽の照射角度などの要素に比較的制限されにくい可動式の太陽エネルギー発電機の構造を提供する。【解決手段】主にソーラーパネル、太陽熱電力転換ユニット、及び電力分配ユニットで構成される。ソーラーパネルで太陽エネルギーを集め、該太陽熱電力転換ユニットは、ソーラーパネルで集めた太陽エネルギーを使って、液体供給器にある液体を気化して蒸気とし、更に該蒸気で発電を行う。該電力分配ユニットは該太陽熱電力転換ユニットと接続し、該太陽熱電力転換ユニットにて生じる電力を外部の電気製品に提供する。【選択図】図１
0003157208.tif 000002
【実用新案登録請求の範囲】
【請求項１】
ソーラーパネル、太陽熱電力転換ユニット、電力分配ユニットを含み、
ソーラーパネルで太陽の熱エネルギーを集め、
太陽熱電力転換ユニットは、ソーラーパネルで集めた熱エネルギーを使って、液体供給器にある液体を気化して蒸気とし、更に該蒸気で発電を行い、
電力分配ユニットは該太陽熱電力転換ユニットを接続し、該太陽熱電力転換ユニットで生じる電力を、外部の電気製品に使用し、
該ソーラーパネルを該太陽熱電力転換ユニットの上部及び少なくとも一つの側部に設置し、且つ、該液体は低い沸点の物理特性を具有することを特徴とする可動式の太陽エネルギー発電機の構造。
【請求項２】
熱交換及び発電ユニット、熱保存ユニット、コントロールユニットを含み、
該熱交換及び発電ユニットはソーラーパネル及び該電力分配ユニットを接続し、ソーラーパネルで集めた熱エネルギーを使って、液体供給器にある液体を気化して蒸気に変換し、更に該蒸気で発電を行い、作り出された電力を該電力分配ユニットに送り、
該熱保存ユニットは、該熱交換及び発電ユニットと接続し、該熱エネルギーを保存し、及び、
該コントロールユニットは該熱交換及び発電ユニット、熱保存ユニットをコントロールし、該熱エネルギーが余剰になった場合、余分の熱エネルギーを該熱保存ユニットに保存し、該熱エネルギーが不足する場合、該熱保存ユニットに保存した熱エネルギーを該熱交換及び発電ユニットに提供し、発電を行うことを特徴とする請求項１記載の可動式の太陽エネルギー発電機の構造。
【請求項３】
該熱交換及び発電ユニットに、少なくとも一つの蒸気発生ユニットや、少なくとも一つの液体供給ユニット、少なくとも一つの発電ユニットを含み、
該蒸気発生ユニットは、ソーラーパネルで集めた熱エネルギーを使って、液体供給器にある液体を気化して蒸気にし、
該液体供給ユニットは該蒸気発生ユニットと接続し、該液体を該蒸気発生ユニットに供給し、
該発電ユニットは該蒸気発生ユニットと接続し、該蒸気発生ユニットにて生じる高圧の蒸気が、空気進入パイプより該発電ユニットに入り、発電を行い、使用後の低圧蒸気は、循環パイプより該蒸気発生ユニットに戻り、高圧蒸気となって、循環して発電することを特徴とする請求項２記載の可動式の太陽エネルギー発電機の構造。
【考案の詳細な説明】
【技術分野】
【０００１】
本考案は可動式の太陽エネルギー発電機の構造に関し、特に重量が軽く、体積が小さく、手軽に移動することができ、使用する場所や天気の良し悪し、或いは太陽光の照射角度などの要素によって比較的制限されにくい可動式の太陽エネルギー発電機の構造に関する。
【背景技術】
【０００２】
近年エコ意識が高まり、エネルギーのリサイクルを行うことで、環境保護につながるため、太陽エネルギー産業は極めて大きな発展潜在力を備えている。太陽エネルギーの利用は大まか太陽光発電及び太陽熱発電に分けることができる。太陽光発電は太陽電池を使って、太陽エネルギーを電力に変換して蓄電するものである。製造コストが高く、太陽光発電の効率は尚も改善する余地がある。太陽熱発電は大まかソーラーパネルで熱エネルギーを集めるものである。家庭用の太陽エネルギー給湯器としては、体積が比較的大きく、移動しにくいため、使用する際、場所や天気の良し悪し或いは太陽照射角度などの要素によって制限されるため、更なる改善が必要であった。
【先行技術文献】
【特許文献】
【０００３】
【特許文献１】特開２０００−２８１７６号公報
【考案の概要】
【考案が解決しようとする課題】
【０００４】
前記公知構造の欠点を解決するため、本考案は可動式の太陽エネルギー発電機の構造を提供することを主な課題とする。
【課題を解決するための手段】
【０００５】
前記課題を解決するために、本考案は可動式の太陽エネルギー発電機の構造を提供する。それに含まれるのは、ソーラーパネル、太陽熱電力転換ユニット及び電力分配ユニットである。該ソーラーパネルを該太陽熱電力転換ユニットの上部及び側部に設置し、太陽光のエネルギーを集め、該太陽熱電力転換ユニットにより、集めた熱エネルギーを使って液体供給器にある液体を気化して蒸気へと転換してから、蒸気で発電を行い、該液体は低い沸点の物理特性を具有する。該電力分配ユニットは該太陽熱電力転換ユニットと接続し、太陽熱電力転換ユニットにて生じる電力を外部の電気製品に提供する。
本考案では低い沸点の液体を気化して高圧の蒸気にし、更に高圧蒸気で発電する。重量が更に軽く、体積が小さいため、手軽に移動することができ、使用する際、使用する場所や天気の良し悪し及び太陽光の照射角度などの要素に比較的制限されにくい。
【０００６】
本考案は下記の特徴を有する。
（１）ソーラーパネル、太陽熱電力転換ユニット、電力分配ユニットを含み、
ソーラーパネルで太陽の熱エネルギーを集め、
太陽熱電力転換ユニットは、ソーラーパネルで集めた熱エネルギーを使って、液体供給器にある液体を気化して蒸気とし、更に該蒸気で発電を行い、
電力分配ユニットは該太陽熱電力転換ユニットを接続し、該太陽熱電力転換ユニットで生じる電力を、外部の電気製品に使用し、
該ソーラーパネルを該太陽熱電力転換ユニットの上部及び少なくとも一つの側部に設置し、且つ、該液体は低い沸点の物理特性を具有することを特徴とする可動式の太陽エネルギー発電機の構造。
（２）熱交換及び発電ユニット、熱保存ユニット、コントロールユニットを含み、
該熱交換及び発電ユニットはソーラーパネル及び該電力分配ユニットを接続し、ソーラーパネルで集めた熱エネルギーを使って、液体供給器にある液体を気化して蒸気に変換し、更に該蒸気で発電を行い、作り出された電力を該電力分配ユニットに送り、
該熱保存ユニットは、該熱交換及び発電ユニットと接続し、該熱エネルギーを保存し、及び、
該コントロールユニットは該熱交換及び発電ユニット、熱保存ユニットをコントロールし、該熱エネルギーが余剰になった場合、余分の熱エネルギーを該熱保存ユニットに保存し、該熱エネルギーが不足する場合、該熱保存ユニットに保存した熱エネルギーを該熱交換及び発電ユニットに提供し、発電を行うことを特徴とする（１）記載の可動式の太陽エネルギー発電機の構造。
（３）該熱交換及び発電ユニットに、少なくとも一つの蒸気発生ユニットや、少なくとも一つの液体供給ユニット、少なくとも一つの発電ユニットを含み、
該蒸気発生ユニットは、ソーラーパネルで集めた熱エネルギーを使って、液体供給器にある液体を気化して蒸気にし、
該液体供給ユニットは該蒸気発生ユニットと接続し、該液体を該蒸気発生ユニットに供給し、
該発電ユニットは該蒸気発生ユニットと接続し、該蒸気発生ユニットにて生じる高圧の蒸気が、空気進入パイプより該発電ユニットに入り、発電を行い、使用後の低圧蒸気は、循環パイプより該蒸気発生ユニットに戻り、高圧蒸気となって、循環して発電することを特徴とする（２）記載の可動式の太陽エネルギー発電機の構造。
【考案の効果】
【０００７】
本考案は該太陽熱電力転換ユニットの設置により、ソーラーパネルで集めた太陽エネルギーを使って、液体供給器にある液体を気化して蒸気にし、該蒸気で発電を行い、更に接続する該電力分配ユニットを用いて、生じる電力を外部の電気製品に提供する。本考案の可動式の太陽エネルギー発電機の重量が軽く、体積が小さいため、手軽に移動することができ、使用する際、使用する場所や天気の良し悪し、或いは太陽の照射角度などの要素に比較的制限されにくい。
【図面の簡単な説明】
【０００８】
【図１】本考案における移動タイプの太陽エネルギー発電機の構造略図である。
【図２】本考案における太陽熱電力転換ユニットの構造略図である。
【考案を実施するための形態】
【０００９】
本考案による可動式の太陽エネルギー発電機の構造を明確に示すために図に沿って詳細な説明を行う。
【００１０】
図１に示すのは本考案における可動式の太陽エネルギー発電機１の構造略図である。図１に示すように、本考案の可動式の太陽エネルギー発電機１に含まれるのは、少なくとも一つのソーラーパネル１０、一つの太陽熱電力転換ユニット２０、及び一つの電力分配ユニット３０である。該ソーラーパネル１０は特定の排列方法を用いて、該太陽熱電力転換ユニット２０の上部及び側部に設置して、太陽の熱エネルギーを集める。ソーラーパネル１０が集めた熱エネルギーを使って、該太陽熱電力転換ユニット２０は液体供給器にある液体を気化して蒸気へと変換し、蒸気を用いて発電を行う。該太陽熱電力転換ユニット２０が生じる電力を該電力分配ユニット３０にアウトプットし、外部の電化製品に使用する。該液体は低い沸点の物理特性を具有する。
【００１１】
図２に示すのは、本考案の太陽熱電力転換ユニット２０の構造略図である。図２に示すように、本考案の太陽熱電力転換ユニット２０に含まれるのは、一つの熱交換及び発電ユニット４０、一つの熱保存ユニット５０及び一つのコントロールユニット６０である。該熱交換及び発電ユニット４０はソーラーパネル１０(図１を参照)、一つの熱保存ユニット５０及び一つのコントロールユニット６０を接続する。該熱交換及び発電ユニット４０はソーラーパネル１０が集めた熱エネルギーを使って、液体供給器にある液体を気化して蒸気へと転換し、該蒸気で発電を行う。生じた電力を該電力分配ユニット３０にアウトプットし、外部の電気製品に使用することができる。該コントロールユニット６０は該熱保存ユニット５０と熱交換及び発電ユニット４０をコントロールし、熱エネルギーが余剰となった際、余分の熱エネルギーを該熱保存ユニット５０に保存し、熱エネルギーが不足する際、該熱保存ユニット５０に保存した熱エネルギーを該熱交換及び発電ユニット４０に与えて発電を行う。
【００１２】
該熱交換及び発電ユニット４０に含まれるのは、少なくとも一つの液体供給ユニット７１、少なくとも一つの蒸気発生ユニット７３、及び少なくとも一つの発電ユニット７５である。該液体供給ユニット７１は液体を該蒸気発生ユニット７３に供給する。該蒸気発生ユニット７３は該ソーラーパネル１０で集めた熱エネルギーを使って、該液体を高圧の蒸気に気化する。該高圧蒸気は空気進入パイプ７７を通って該発電ユニット７５に入り、該発電ユニット７５にある発電機(図に未掲載)を起動して発電を行う。作動後の低圧蒸気は更に循環パイプ７９を通って、該蒸気発生ユニット７３に戻り、高圧蒸気となり、循環して発電し続ける。
【００１３】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１４】
１  可動式の太陽エネルギー発電機
１０  ソーラーパネル
２０  太陽熱電力転換ユニット
３０  電力分配ユニット
４０  熱交換及び発電ユニット
５０  熱保存ユニット
６０  コントロールユニット
７１  液体供給ユニット
７３  蒸気発生ユニット
７５  発電ユニット
７７  空気進入パイプ
７９  循環パイプ
【図１】
0003157208.tif 000003
【図２】
0003157208.tif 000004